(57)【要約】【課題】受信機と複数の感知器との間の伝送線路に異常があることによる影響を軽減する。【解決手段】火災報知システムＳは、設置されたエリアにおける異状の発生を感知する感知器２と、感知器２が送信した感知器信号を受信する受信機１と、を備える。感知器２は、感知器信号を送信する送信回路２２と、送信回路２２に感知器信号を送信させる感知器制御部２５と、を有する。受信機１は、感知器２と受信機１との間を接続する伝送線路Ｔを流れる伝送電流を検出する伝送電流測定回路１５と、感知器２から感知器信号を受信する受信回路１３と、受信回路１３が感知器信号を受信している間に伝送電流測定回路１５が検出した伝送電流が所定の閾値未満である場合に、伝送線路Ｔに異常があると判定する受信機制御部１７と、を有する。【選択図】図１
2020046948.tif 000002
【特許請求の範囲】
【請求項１】
設置されたエリアにおける異状の発生を感知する感知器と、前記感知器が送信した感知器信号を受信する受信機と、を備え、
前記感知器は、
前記感知器信号を送信する感知器送信部と、
前記感知器送信部に前記感知器信号を送信させる感知器制御部と、
を有し、
前記受信機は、
前記感知器と前記受信機との間を接続する伝送線路を流れる伝送電流を検出する電流検出部と、
前記感知器から前記感知器信号を受信する受信機受信部と、
前記受信機受信部が前記感知器信号を受信している間に前記電流検出部が検出した前記伝送電流が所定の閾値未満である場合に、前記伝送線路に異常があると判定する受信機制御部と、
を有する火災報知システム。
【請求項２】
前記受信機は、前記感知器に対して受信機信号を送信する受信機送信部をさらに有し、
前記感知器は、前記受信機信号を受信する感知器受信部を有し、
前記受信機制御部は、前記感知器に前記感知器信号を送信することを要求するための要求情報を含む前記受信機信号を前記受信機送信部に送信させ、前記受信機信号を送信させた後に前記受信機受信部が前記感知器信号を受信している間の前記伝送電流に基づいて、前記伝送線路に異常があると判定する、
請求項１に記載の火災報知システム。
【請求項３】
前記感知器は、前記感知器信号を送信している間の前記伝送電流を調整する電流調整部をさらに有し、
前記受信機制御部は、前記伝送線路に異常があると判定した場合、前記感知器に前記伝送電流を増加させることを要求する電流増加要求又は前記伝送電流を減少させることを要求する電流減少要求を含む前記受信機信号を前記受信機送信部に送信させ、
前記感知器制御部は、前記感知器受信部が前記電流増加要求又は前記電流減少要求を含む前記受信機信号を受信した場合に、前記電流調整部に前記伝送電流を変化させた状態で前記感知器信号を送信させる、
請求項２に記載の火災報知システム。
【請求項４】
前記受信機制御部は、前記電流検出部が検出した前記伝送電流の大きさを示す前記受信機信号を前記受信機送信部に送信させ、
前記感知器制御部は、前記受信機信号が示す前記伝送電流の大きさに基づいて前記電流調整部に前記伝送電流を変化させる、
請求項３に記載の火災報知システム。
【請求項５】
前記火災報知システムは複数の前記感知器を備え、
前記受信機制御部は、前記複数の感知器のそれぞれを識別するための識別情報をさらに含む前記受信機信号を前記受信機送信部に送信させ、
前記感知器は、自身の識別情報を記憶する記憶部をさらに有し、
前記感知器制御部は、前記感知器受信部が受信した前記受信機信号に含まれる識別情報が、前記記憶部に記憶された識別情報と一致していることを条件として、前記感知器送信部に前記感知器信号を送信させる、
請求項２から４のいずれか一項に記載の火災報知システム。
【請求項６】
前記受信機は、前記伝送線路に異常があることを示す警報を表示する表示部をさらに有し、
前記受信機制御部は、前記受信機送信部に送信させた前記受信機信号に含まれる識別情報に対応する前記感知器から前記感知器信号を受信している間の前記伝送電流に基づいて前記伝送線路に異常があると判定した場合、前記受信機送信部に送信させた前記受信機信号に含まれる識別情報に対応する前記感知器を特定する情報とともに、前記警報を前記表示部に表示させる、
請求項５に記載の火災報知システム。
【請求項７】
前記受信機制御部は、
前記伝送電流が第１閾値未満である場合に第１種別の警報を出力し、
前記伝送電流が前記第１閾値以上、前記第１閾値よりも大きい第２閾値未満である場合に第２種別の警報を出力し、
前記伝送電流が前記第２閾値以上である場合に正常であると判定する、
請求項１から６のいずれか一項に記載の火災報知システム。
【発明の詳細な説明】
【技術分野】
【０００１】
本発明は、火災を報知する火災報知システムに関する。
【背景技術】
【０００２】
受信機と複数の感知器とを備える火災報知システムが知られている。火災報知システムにおいては、受信機と複数の感知器との間が伝送線路により接続されており、受信機と複数の感知器との間でデータが送受信される（例えば、特許文献１を参照）。
【先行技術文献】
【特許文献】
【０００３】
【特許文献１】特開２００６−４８２１１号公報
【発明の概要】
【発明が解決しようとする課題】
【０００４】
受信機と複数の感知器との間の伝送線路に異常な箇所があると、受信機と複数の感知器との間でデータが正常に送受信されない。その結果、感知器が火災を感知したにもかかわらず、火災が発生したことを受信機が報知できない場合が生じ得るという問題が生じていた。
【０００５】
そこで、本発明はこれらの点に鑑みてなされたものであり、受信機と複数の感知器との間の伝送線路に異常があることによる影響を軽減することができる火災報知システムを提供することを目的とする。
【課題を解決するための手段】
【０００６】
本発明の火災報知システムは、設置されたエリアにおける異状の発生を感知する感知器と、前記感知器が送信した感知器信号を受信する受信機と、を備え、前記感知器は、前記感知器信号を送信する感知器送信部と、前記感知器送信部に前記感知器信号を送信させる感知器制御部と、を有し、前記受信機は、前記感知器と前記受信機との間を接続する伝送線路を流れる伝送電流を検出する電流検出部と、前記感知器から前記感知器信号を受信する受信機受信部と、前記受信機受信部が前記感知器信号を受信している間に前記電流検出部が検出した前記伝送電流が所定の閾値未満である場合に、前記伝送線路に異常があると判定する受信機制御部と、を有する。
【０００７】
前記受信機は、前記感知器に対して受信機信号を送信する受信機送信部をさらに有し、前記感知器は、前記受信機信号を受信する感知器受信部を有し、前記受信機制御部は、前記感知器に前記感知器信号を送信することを要求するための要求情報を含む前記受信機信号を前記受信機送信部に送信させ、前記受信機信号を送信させた後に前記受信機受信部が前記感知器信号を受信している間の前記伝送電流に基づいて、前記伝送線路に異常があると判定してもよい。
【０００８】
前記感知器は、前記感知器信号を送信している間の前記伝送電流を調整する電流調整部をさらに有し、前記受信機制御部は、前記伝送線路に異常があると判定した場合、前記感知器に前記伝送電流を増加させることを要求する電流増加要求又は前記伝送電流を減少させることを要求する電流減少要求を含む前記受信機信号を前記受信機送信部に送信させ、前記感知器制御部は、前記感知器受信部が前記電流増加要求又は前記電流減少要求を含む前記受信機信号を受信した場合に、前記電流調整部に前記伝送電流を変化させた状態で前記感知器信号を送信させてもよい。
【０００９】
前記受信機制御部は、前記電流検出部が検出した前記伝送電流の大きさを示す前記受信機信号を前記受信機送信部に送信させ、前記感知器制御部は、前記受信機信号が示す前記伝送電流の大きさに基づいて前記電流調整部に前記伝送電流を変化させてもよい。
【００１０】
前記火災報知システムは複数の前記感知器を備え、前記受信機制御部は、前記複数の感知器のそれぞれを識別するための識別情報をさらに含む前記受信機信号を前記受信機送信部に送信させ、前記感知器は、自身の識別情報を記憶する記憶部をさらに有し、前記感知器制御部は、前記感知器受信部が受信した前記受信機信号に含まれる識別情報が、前記記憶部に記憶された識別情報と一致していることを条件として、前記感知器送信部に前記感知器信号を送信させてもよい。
【００１１】
前記受信機は、前記伝送線路に異常があることを示す警報を表示する表示部をさらに有し、前記受信機制御部は、前記受信機送信部に送信させた前記受信機信号に含まれる識別情報に対応する前記感知器から前記感知器信号を受信している間の前記伝送電流に基づいて前記伝送線路に異常があると判定した場合、前記受信機送信部に送信させた前記受信機信号に含まれる識別情報に対応する前記感知器を特定する情報とともに、前記警報を前記表示部に表示させてもよい。
【００１２】
前記受信機制御部は、前記伝送電流が第１閾値未満である場合に第１種別の警報を出力し、前記伝送電流が前記第１閾値以上、前記第１閾値よりも大きい第２閾値未満である場合に第２種別の警報を出力し、前記伝送電流が前記第２閾値以上である場合に正常であると判定してもよい。
【発明の効果】
【００１３】
本発明によれば、受信機と複数の感知器との間の伝送線路に異常があることによる影響を軽減することができるという効果を奏する。
【図面の簡単な説明】
【００１４】
【図１】火災報知システムＳの概要を示す図である。
【図２】ＦＳＫ伝送方式が用いられる場合の伝送波形を模式的に示す図である。
【図３】受信機が受信する信号の電圧を模式的に表した図である。
【図４】受信機が受信する信号の電圧を模式的に表した図である。
【図５】感知器が伝送電流を増加させた場合の効果について説明するための図である。
【図６】受信機の構成を示す図である。
【図７】送信回路の内部構成例を示す図である。
【図８】伝送電流測定回路の内部構成例を示す図である。
【図９】感知器の構成を示す図である。
【図１０】伝送電流の値と異常判定内容との関係を示す図である。
【図１１】感知器が有する電流調整部の一例を示す図である。
【図１２】受信機制御部が伝送電流を制御する処理を実行する動作のフローチャートである。
【図１３】感知器制御部が伝送電流を調整する動作のフローチャートである。
【発明を実施するための形態】
【００１５】
［火災報知システムＳの概要］
図１は、火災報知システムＳの概要を示す図である。火災報知システムＳは、火災を感知して、火災が発生したことを発報するシステムである。火災報知システムＳは、受信機１と複数の感知器２（２Ａ、２Ｂ、２Ｃ）とを備える。複数の感知器２は、火災センサ及び煙センサ等の各種のセンサを内蔵しており、設置されたエリアにおける異状の発生を感知する。受信機１と複数の感知器２それぞれとは、伝送線路Ｔを介してデータを送受信できるように接続されている。感知器２は、火災又は煙を感知した場合に、伝送線路Ｔを介して受信機１に異状の発生を示す感知器信号を送信し、受信機１は、感知器２が送信した感知器信号を受信する。受信機１及び感知器２は、例えばＦＳＫ（Frequency Shift Keying）伝送方式によりデータを送受信する。
【００１６】
図２は、伝送方式の一例としてのＦＳＫ伝送方式が用いられる場合の伝送波形を模式的に示す図である。ＦＳＫ伝送方式においては、データ０とデータ１とに、振幅が同一で周波数がそれぞれ異なる正弦波信号が割り当てられている。
【００１７】
伝送線路Ｔは、一般的には、銅を主成分とする導電体により構成されている。銅線には、抵抗成分（Ｒ）、インダクタンス成分（Ｌ）及び容量成分（Ｃ）が含まれるので、伝送される信号が減衰したり、伝送波形が歪んだりする。インピーダンス（Ｚ）は受信機１と感知器２との距離、すなわち伝送距離が長くなるほど増えてゆき、信号の減衰量を増大させる。
【００１８】
図３及び図４は、受信機１が受信する信号の電圧を模式的に表した図である。図３は、受信機１と感知器２との距離が比較的小さい場合に受信機１が受信する信号の波形を示す図である。図４は、受信機１と感知器２との距離が図３よりも大きい場合に受信機１が受信する信号の波形を示す図である。
【００１９】
図３においては、送信波高Ｖｓｔと受信波高Ｖｓｒとが若干異なるものの、ほぼ同じ値を示している。インピーダンスＺは、Ｚ＝Ｒ＋ｊωＬ＋１／ｊωＣで表される。受信波高Ｖｓｒは、上記のＲ、Ｌ、Ｃの影響により、送信波高Ｖｓｔよりも小さくなっている。図４においては、伝送線路Ｔが有するＲ、Ｌ、Ｃの影響が大きくなるので、送信波高Ｖｓｔと受信波高Ｖｓｒの差が図３に示す場合よりも大きくなっている。
【００２０】
図３及び図４におけるアドレス１からアドレスｎは、複数の感知器２それぞれに割り当てられており、アドレスの数字が大きくなればなるほど受信機１からの距離が大きくなり、受信波高Ｖｓｒが小さくなっている。このように、伝送距離が長くなればなるほど受信機１が受信する信号が減衰し、正常にデータを復調できない確率が高くなる。
【００２１】
この現象は、伝送距離だけではなく、受信機１及び感知器２の設計仕様に合致しない電線が伝送線路Ｔとして使用されたり、受信機１と感知器２との間の途中での伝送線路Ｔの接続状態に不備があったり、伝送線路Ｔに水が付着することにより絶縁不良が生じたりすることによっても発生する。例えば、感知器２が伝送線路Ｔに接続される際、作業ミスによって、接続部が半接触状態になっている場合があり、この場合は、伝送線路Ｔと感知器２との接続抵抗が著しく大きくなる。
【００２２】
本実施の形態の火災報知システムＳにおいては、受信機１が、感知器２から受信する信号の大きさに基づいて、伝送線路Ｔの不具合を検出する。さらに、受信機１は、伝送線路Ｔの不具合を検出した場合に、不具合が生じている伝送線路Ｔを介して接続されている感知器２に対して伝送時の電流を増加させるように指示する。受信機１及び感知器２がこのように動作することで、伝送線路Ｔの状況によらず、受信機１が感知器２から受信した信号を適切に復調することができる。
【００２３】
図５は、感知器２が伝送電流を増加させた場合の効果について説明するための図である。図５（ａ）は、伝送電流を増加させる前の状態を示しており、受信機１が受信した感知器信号の波高値はＡ１である。図５（ｂ）は、伝送電流を増加させた後の状態を示しており、受信機１が受信した感知器信号の波高値が、図５（ａ）における波高値Ａ１よりもΔＡだけ増加してＡ２になっている。
以下、受信機１及び感知器２の構成について詳細に説明する。
【００２４】
［受信機１の構成］
図６は、受信機１の構成を示す図である。受信機１は、電源回路１１と、ユーザＩＦ部１２と、受信回路１３と、送信回路１４と、伝送電流測定回路１５と、電流／電圧変換回路１６と、受信機制御部１７とを有する。
【００２５】
電源回路１１は、受信機１が有する各回路に電力を発生する。
ユーザＩＦ部１２は、火災が発生したことを示す警報、及び伝送線路Ｔに異常があることを示す警報等を表示する表示部（例えばディスプレイ）、警報音を発生する音響発生部（例えばスピーカ）、及びユーザの操作を受け付ける操作部等のユーザインターフェースである。ユーザＩＦ部１２は、火災が発生したことを示す火災警報であるか、伝送線路Ｔに異常があることを示す線路不良警報であるかをユーザが判別できる態様で、ユーザに警報を通知する。ユーザＩＦ部１２は、例えば火災警報と線路不良警報とを異なる色で表示したり、異なる音の警報音を発生したりする。
【００２６】
受信回路１３は、感知器２から感知器信号を受信する受信機受信部として機能する回路である。受信回路１３は、例えば、伝送線路Ｔを介して感知器２から受信した信号を増幅する増幅回路を有する。受信回路１３は、例えば、インピーダンス変換を行うための差動増幅回路、バンドパスフィルタ及びインピーダンス整合回路等をさらに有してもよい。
【００２７】
送信回路１４は、感知器２に対して、受信機制御部１７が生成した受信機信号を送信する受信機送信部として機能する回路である。図７は、送信回路１４の内部構成例を示す図である。送信回路１４は、インピーダンス素子１４１、トランジスタ１４２及びインピーダンス素子１４３を有する。図７においては、トランジスタ１４２がバイポーラトランジスタである場合を例示しているが、トランジスタ１４２は、電界効果トランジスタ等の他の種類のトランジスタであってもよい。
【００２８】
インピーダンス素子１４１及びインピーダンス素子１４３は、例えば抵抗であるが、インダクタ又はキャパシタをさらに含んでもよい。インピーダンス素子１４１は、トランジスタ１４２が飽和状態になった場合に定格電流以上の電流が流れてトランジスタ１４２が故障することを防ぐための保護抵抗として機能する。
【００２９】
トランジスタ１４２のベースは、例えば、受信機制御部１７が有するＤ／Ａ変換器に接続されている。トランジスタ１４２のエミッタは、インピーダンス素子１４３を介して接地されており、トランジスタ１４２のコレクタは、インピーダンス素子１４１を介して電流／電圧変換回路１６に接続されている。トランジスタ１４２は、受信機制御部１７から入力される電流の大きさに基づいてコレクタ−エミッタ間を流れる電流を変化させる。コレクタ−エミッタ間を流れる電流は、トランジスタ１４２が伝送線路Ｔから引き込む電流である。
【００３０】
受信機制御部１７がトランジスタ１４２のベースに印加する電圧をＶｂ、ベース−エミッタ間電圧をＶｂｅ、トランジスタ１４２の固有増幅率をｈ、インピーダンス素子１４３のインピーダンス値をＺとすると、伝送電流Ｉは、以下の式により表される。
Ｉ＝ｈ×（Ｖｂ−Ｖｂｅ）／Ｚ
したがって、受信機制御部１７がトランジスタ１４２のベースに印加する電圧を変動させることにより、送信回路１４がＦＳＫ信号を生成することができる。
【００３１】
伝送電流測定回路１５は、受信機１と感知器２との間を接続する伝送線路Ｔを流れる伝送電流を検出する検出部として機能する。図８は、伝送電流測定回路１５の内部構成例を示す図である。伝送電流測定回路１５は、インピーダンス素子１５１及び増幅器１５２を有する。
【００３２】
インピーダンス素子１５１は、受信機１と電流／電圧変換回路１６との間に設けられたインピーダンスを有する素子であり、例えば抵抗である。インピーダンス素子１５１は、インダクタ又はキャパシタを有してもよい。増幅器１５２は、インピーダンス素子１５１の両端間の電位差を増幅する。増幅器１５２は、増幅した後の電位差に相当するアナログ信号を受信機制御部１７に入力する。
【００３３】
電流／電圧変換回路１６は、送信回路１４が引き込む電流の値に応じた大きさの電圧を伝送線路Ｔに発生させるための回路であり、電流変動に応じた電圧を発生するための電気素子として、例えば抵抗を有する。電流／電圧変換回路１６が抵抗を有する場合、送信回路１４が引き込む電流の値に応じた大きさの電圧降下が抵抗において生じることにより、伝送線路Ｔの電圧が変化する。電流／電圧変換回路１６は、例えば送信回路１４が流す正弦波状に変化する電流に対応する正弦波状の電圧を発生する。
【００３４】
受信機制御部１７は、受信機１の各部を制御する回路であり、例えばＣＰＵ（Central Processing Unit）及び記憶部を有する。記憶部は、例えばＲＯＭ（Read Only Memory）及びＲＡＭ（Random Access Memory）である。受信機制御部１７は、例えば、受信回路１３を介して感知器２から火災又は煙を感知したことを示す感知信号を受信した場合に、火災が発生したことをユーザＩＦ部１２に表示させたり、スピーカ（不図示）に警報音を発生させたりする。
【００３５】
受信機制御部１７は、Ａ／Ｄ変換回路を有しており、増幅器１５２から入力されたアナログ信号をデジタル値に変換し、インピーダンス素子１５１の両端間の電位差の値を取得することにより伝送電流の大きさを特定する。また、受信機制御部１７は、感知器２から送信されたデータを期待値と比較することにより、データが正常に受信されたか否かを判定してもよい。受信機制御部１７の動作の詳細については後述する。
【００３６】
［感知器２の構成］
図９は、感知器２の構成を示す図である。感知器２は、電源回路２１と、送信回路２２と、受信回路２３と、センサ回路２４と、感知器制御部２５とを有する。
【００３７】
電源回路２１は、感知器２が有する各回路に電力を発生する。
送信回路２２は、感知器制御部２５が生成した感知器信号を受信機１に送信するための回路である。送信回路２２は、例えば受信機１の送信回路１４と同等の内部構成を有する。送信回路２２は、伝送線路Ｔの状態を確認するためのモードである線路確認モードにおいて、受信機１から感知器信号を送信する要求を受けた場合、線路確認用の感知器信号を送信する。送信回路２２は、線路確認用の感知器信号を送信する場合、伝送線路Ｔの特定インピーダンスの影響を最も受けやすい状態で伝送電流を確認できるようにするために、伝送線路Ｔで送信され得る感知器信号のうち、電流の振幅が最も高い頻度でトグルする信号（すなわち、最も周波数が高い信号）を送信することが好ましい。
【００３８】
受信回路２３は、受信機１が送信した信号を受信するための回路である。受信回路２３は、例えば受信機１の受信回路１３と同等の内部構成を有する。受信回路２３は、受信した受信機信号を感知器制御部２５に入力する。
【００３９】
センサ回路２４は、火災又は煙等の異常状態を感知するためのセンサを含む回路である。センサ回路２４は、センサが出力する感知信号を感知器制御部２５に入力する。
【００４０】
感知器制御部２５は、感知器２の各部を制御する回路であり、例えばＣＰＵ及び記憶部を有する。感知器制御部２５は、例えば、センサ回路２４から入力された異状検知信号に基づいて受信機１に感知器信号を送信するように送信回路２２を制御したり、受信機１から受信した制御信号に基づいてセンサ回路２４を制御したりする。
【００４１】
記憶部は、例えばＲＯＭ及びＲＡＭであり、感知器２自身の識別情報である感知器ＩＤ（例えばアドレス）を記憶する。感知器制御部２５は、受信回路２３が受信した受信機信号に含まれる感知器ＩＤが、記憶部に記憶された感知器ＩＤと一致していることを条件として、送信回路２２に感知器信号を送信させる。感知器制御部２５がこのように動作することで、同一の伝送線路Ｔに複数の感知器２が接続されている場合であっても、複数の感知器２が同時に感知器信号を送信しないようにすることができる。
【００４２】
［伝送線路Ｔの異常判定方法］
以下、受信機制御部１７が伝送線路Ｔに異常が発生したと判定する方法を詳細に説明する。
受信機制御部１７は、受信回路１３が感知器信号を受信している間に伝送電流測定回路１５が検出した伝送電流が所定の閾値未満である場合に、伝送線路Ｔに異常があると判定する。所定の閾値は、例えば、受信回路１３が感知器信号を正常に受信できない確率が許容範囲を超える場合の伝送電流の値である。受信機制御部１７は、伝送線路Ｔに異常があると判定した場合、伝送線路Ｔに異常があることをユーザＩＦ部１２に表示させたり、スピーカに警報音を発生させたりする。
【００４３】
受信機１は、伝送線路Ｔの異常の有無を確認するための線路確認モードに設定された場合に、伝送線路Ｔに異常があると判定してもよい。線路確認モードにおいて、受信機制御部１７は、感知器２に感知器信号を送信することを要求するための要求情報を含む受信機信号を送信回路１４に送信させ、受信機信号を送信させた後に受信回路１３が感知器信号を受信している間の伝送電流に基づいて、伝送線路Ｔに異常があると判定してもよい。
【００４４】
受信機制御部１７がこのような構成を有することで、受信機制御部１７が常に伝送電流を監視するのではなく、要求情報を含む受信機信号を送信した後に、感知器信号を受信する可能性がある間に伝送電流を監視すればよいので、受信機制御部１７の処理が軽減される。なお、線路確認モードへの移行は、火災報知システムＳの管理者の操作によって行われてもよく、受信機１が定期的に線路確認モードを実行してもよい。
【００４５】
受信機制御部１７は、火災報知システムＳに複数の感知器２が設けられている場合、複数の感知器２のそれぞれを識別するための識別情報（以下、感知器ＩＤという）を含む受信機信号を送信回路１４に送信させてもよい。受信機信号に感知器ＩＤが含まれていることにより、受信機制御部１７は、感知器２に対して個別の要求情報を送信することができる。
【００４６】
受信機制御部１７は、感知器ＩＤを利用して、複数の感知器２のそれぞれとの間の伝送線路Ｔの異常の有無を、順番に確認することができる。具体的には、受信機制御部１７は、感知器ＩＤと、感知器信号を送信することを要求する要求情報とを含む受信機信号を、感知器ＩＤを変化させながら、送信回路１４に順次送信させる。受信機制御部１７は、例えば、１つの受信機信号を送信回路１４に送信させてから、当該受信機信号に応答する感知器信号を受信するまで待機した後に、異なる感知器ＩＤを含む次の受信機信号を送信回路１４に送信させる。
【００４７】
受信機制御部１７は、送信回路１４に送信させた受信機信号に含まれる感知器ＩＤに対応する感知器から感知器信号を受信している間の伝送電流に基づいて伝送線路Ｔに異常があるか否かを判定する。受信機制御部１７は、伝送線路Ｔに異常があると判定した場合、送信回路１４に送信させた受信機信号に含まれる感知器ＩＤに対応する感知器を特定する情報とともに、警報をユーザＩＦ部１２が有する表示部に表示させる。例えば、ユーザＩＦ部１２は、複数の感知器２それぞれに対応する発光ダイオードを有しており、受信機制御部１７は、一つの伝送線路Ｔに異常が発生したと判定した場合、異常が発生したと判定した伝送線路Ｔを介して接続されている感知器２に対応する発光ダイオードを点灯させる。
【００４８】
受信機制御部１７は、伝送電流の値によって異なる判定内容を出力するようにユーザＩＦ部１２を制御してもよい。図１０は、伝送電流の値と異常判定内容との関係を示す図である。
【００４９】
受信機制御部１７は、例えば、伝送電流が第１閾値未満（例えば図１０におけるα１未満）である場合に第１種別の警報を出力するようにユーザＩＦ部１２を制御する。受信機制御部１７は、伝送電流が第１閾値以上、第１閾値よりも大きい第２閾値未満（例えば図１０におけるα１以上α３未満）である場合に第２種別の警報を出力するようにユーザＩＦ部１２を制御する。受信機制御部１７は、伝送電流が第２閾値以上（図１０におけるα３以上）である場合に正常であると判定し、警報を出力しないようにユーザＩＦ部１２を制御する。受信機制御部１７は、伝送電流が第２閾値よりも大きな第３閾値以上（図１０におけるα４以上）であり、伝送電流が過大である場合に警報を出力してもよい。
【００５０】
第１種別の警報は、感知器２が故障していたり、感知器２が伝送線路Ｔに接続されていなかったりする場合等に出力される警報である。第２種別の警報は、感知器２は正常であると推定されるが、伝送線路Ｔに異常が発生していると推定される場合に発せられる警報である。
【００５１】
受信機制御部１７は、受信機信号を正常に受信できているか否かに基づいて、複数種類の第２種別の警報を出力するようにユーザＩＦ部１２を制御してもよい。受信機制御部１７は、例えば、感知器信号を復調した後のデータ誤り率が許容範囲未満である場合（例えば図１０におけるα１以上α２未満の場合）、改善を勧告する内容の警報を出力するようにユーザＩＦ部１２を制御する。受信機制御部１７は、感知器信号を復調した後のデータ誤り率が許容範囲以上である場合（例えば図１０におけるα２以上α３未満の場合）、伝送線路Ｔの確認を促す内容の警報を出力するようにユーザＩＦ部１２を制御する。このように、受信機制御部１７が、伝送電流及びデータ誤り率に基づいて異なる種類の警報を出力するようにユーザＩＦ部１２を制御することで、ユーザが、伝送線路Ｔの状況を的確に把握し、適切な対応をすることが可能になる。
【００５２】
［伝送電流の調整］
火災報知システムＳは、伝送線路Ｔに異常があると判定した場合に、伝送電流を変化させるように動作してもよい。火災報知システムＳは、例えば伝送電流が小さ過ぎる場合に、伝送電流を増加させるように動作し、伝送電流が大き過ぎる場合に、伝送電流を減少させるように動作する。具体的には、受信機制御部１７が、伝送電流に基づいて伝送線路Ｔに異常があると判定した場合、感知器２に伝送電流を増加させることを要求する電流増加要求又は伝送電流を減少させることを要求する電流減少要求を含む受信機信号を送信回路１４に送信させる。感知器２は、感知器信号を送信している間の伝送電流を調整する電流調整部を有しており、感知器制御部２５は、電流増加要求を含む受信機信号を受信回路２３が受信した場合に、電流調整部に伝送電流を変化（増加又は減少）させた状態で感知器信号を送信させる。
【００５３】
図１１は、感知器２が有する電流調整部の一例を示す図である。図１１は、送信回路２２、受信回路２３、感知器制御部２５及び電流調整部２７を示している。電流調整部２７は、電流制限回路２６及びスイッチ２５１を有する。
【００５４】
送信回路２２は、図７に示した送信回路１４と同様に、インピーダンス素子２２１、トランジスタ２２２及びインピーダンス素子２２３を有する。感知器制御部２５は、電流制限回路２６とともに電流調整部２７を構成するスイッチ２５１を有する。電流制限回路２６は、インピーダンス素子２２３とともにトランジスタ２２２のエミッタに接続されている。電流制限回路２６は、感知器制御部２５が有するスイッチ２５１の状態に基づいて、トランジスタ２２２のエミッタとグランドとの間でインピーダンス素子２２３と並列に接続された状態と、開放された状態とが切り替わる。
【００５５】
スイッチ２５１が短絡した状態においては、トランジスタ２２２のエミッタとグランドとの間でインピーダンス素子２２３と電流制限回路２６とが並列に接続された状態になる。スイッチ２５１が短絡していない状態においては、トランジスタ２２２のエミッタとグランドとの間にインピーダンス素子２２３が設けられており、電流制限回路２６が設けられていない状態になる。その結果、スイッチ２５１が短絡した状態においては、伝送線路Ｔとグランドとの間のインピーダンスが、スイッチ２５１が短絡していない状態よりも小さくなり、トランジスタ２２２が引き込む電流が増加し、伝送電流が増加する。
【００５６】
受信機制御部１７は、伝送電流を増加させるための電流増加要求又は伝送電流を減少させるための電流減少要求を含む受信機信号を送信回路１４に送信させる代わりに、伝送電流測定回路１５が検出した伝送電流の大きさを示す受信機信号を送信回路１４に送信させてもよい。この場合、感知器制御部２５は、受信機信号が示す伝送電流の大きさに基づいて、電流調整部２７に伝送電流を変化させる。電流制限回路２６は、例えば可変抵抗であり、感知器制御部２５は、伝送電流が第１閾値（例えば図１０におけるα１）以上第２閾値（例えば図１０におけるα３）未満である場合に、伝送電流が第２閾値になるように電流制限回路２６の抵抗値を調整する。電流制限回路２６が、複数の抵抗と、それぞれの抵抗から一以上の抵抗を選択するためのスイッチとを有してもよい。
【００５７】
感知器制御部２５は、伝送電流を減少させてもよい。例えば、感知器制御部２５は、伝送電流が第２閾値よりも大きい第３閾値（例えば図１０におけるα４）以上である場合に、伝送電流が第２閾値以上第３閾値未満になるように電流制限回路２６の抵抗値を調整してもよい。感知器制御部２５が、伝送電流が基準値よりも大きい場合に伝送電流を減少させることで、受信機１が受信する受信機信号のレベルを安定化させることができるとともに、消費電力を削減することができる。
【００５８】
［火災報知システムＳの動作フローチャート］
図１２は、受信機１の受信機制御部１７が伝送電流を調整する制御を実行する動作のフローチャートである。受信機制御部１７は、まずアドレスを１に設定し（Ｓ１１）、アドレス１の感知器２に対して感知器信号の送信を要求する要求情報を送信する（Ｓ１２）。受信機制御部１７は、アドレス１の感知器２が感知器信号を送信している間の伝送電流を測定する（Ｓ１３）。
【００５９】
受信機制御部１７は、測定した伝送電流が最小許容値（例えば図１０におけるα３）よりも小さいか否かを判定する（Ｓ１４）。受信機制御部１７は、測定した伝送電流が最小許容値よりも小さいと判定した場合（Ｓ１４においてＹＥＳ）、伝送電流を増加させるための要求情報を、アドレス１の感知器２に送信する（Ｓ１５）。受信機制御部１７は、測定した伝送電流が最小許容値以上であると判定した場合（Ｓ１４においてＮＯ）、測定した伝送電流が最大許容値（例えば図１０におけるα４）よりも大きいか否かを判定する（Ｓ１６）。
【００６０】
受信機制御部１７は、測定した伝送電流が最大許容値よりも大きいと判定した場合（Ｓ１６においてＹＥＳ）、伝送電流を減少させるための要求情報を、アドレス１の感知器２に送信する（Ｓ１７）。受信機制御部１７は、測定した伝送電流が最大許容値以下であると判定した場合（例えば図１０におけるα３以上α４以下である場合）、アドレス１の感知器２に要求情報を送信せずに、Ｓ１８に進む。
【００６１】
続いて、受信機制御部１７は、伝送電流を調整する対象となる感知器２のアドレスを次のアドレスにする（Ｓ１８）。受信機制御部１７は、全アドレスの感知器２に対する調整が終了したか否かを判定し（Ｓ１９）、全アドレスの感知器２に対する調整が終了していない場合（Ｓ１９においてＮＯ）、Ｓ１２からＳ１８までの処理を繰り返す。受信機制御部１７は、全アドレスの感知器２に対する調整が終了した場合（Ｓ１９においてＹＥＳ）、伝送電流の調整処理を終了する。
【００６２】
図１３は、感知器制御部２５が伝送電流を調整する動作のフローチャートである。感知器制御部２５は、受信機１から要求情報を受信すると（Ｓ２１）、要求情報の内容を特定し、伝送電流を増加させる指示を要求情報が含むか否かを判定する（Ｓ２２）。感知器制御部２５は、伝送電流を増加させる指示を要求情報が含むと判定した場合（Ｓ２２においてＹＥＳ）、伝送電流調整回路を起動する（Ｓ２３）。図１１に示した例の場合、感知器制御部２５は、スイッチ２５１を導通状態にすることにより送信経路上の抵抗値を減少させて伝送電流を増加させる。
【００６３】
感知器制御部２５は、伝送電流を増加させる指示を要求情報が含まないと判定した場合（Ｓ２２においてＮＯ）、伝送電流を減少させる指示を要求情報が含むか否かを判定する（Ｓ２４）。感知器制御部２５は、伝送電流を減少させる指示を要求情報が含むと判定した場合（Ｓ２４においてＹＥＳ）、伝送電流調整回路を停止する（Ｓ２５）。図１１に示した例の場合、感知器制御部２５は、スイッチ２５１を非導通状態にすることにより送信経路上の抵抗値を増加させて伝送電流を減少させる。
【００６４】
なお、感知器制御部２５が伝送電流をさらに減少させることができるように、図１１に示すインピーダンス素子２２３とグランドとの間に、互いに並列に接続された抵抗とスイッチとがさらに設けられていてもよい。感知器制御部２５は、定常状態においては当該スイッチを導通状態にする。感知器制御部２５は、伝送電流を減少させる必要がある場合に当該スイッチを非導通状態にすることで、トランジスタ２２２のエミッタとグランドとの間の抵抗値を増加させ、伝送電流を減少させることができる。
【００６５】
［火災報知システムＳによる効果］
以上説明したとおり、受信機１は、感知器２が感知器信号を送信している間に伝送電流を測定し、伝送電流に異常がある場合に、異常があることを示す警報を発する。受信機１が警報を発することで、火災報知システムＳの管理者が、受信機１と感知器２とを接続する伝送線路Ｔの不具合を早期に発見することができる。
【００６６】
また、受信機１は、伝送電流に異常があることを検出した場合に、伝送電流が適正な値になるように、感知器２に伝送電流を調整させる。受信機１及び感知器２が連携して伝送電流を調整することにより、受信機１が受信する感知器信号の波高が略一定の値になるので、受信機１が感知器信号を正しく受信できる確率を高めることができる。
【００６７】
また、受信機１が受信する感知器信号の波高が略一定の値になることにより、受信機１の受信回路の構成を簡易化することができる。一般的に、伝送電流の振幅及び周波数の変動量が大きい場合、受信回路が、能動的なフィルタ回路等の多段のアンプで構成された複雑な回路構成を要する場合が多い。しかし、本実施の形態によれば、伝送電流の振幅及び周波数の変動を抑制することができるので、受信回路を簡略化することができる。
【００６８】
［変形例］
以上の説明においては、感知器２が感知器信号を送信している間の伝送電流を受信機１が監視し、伝送電流が小さい場合に、感知器２が伝送電流を増加させた。このような場合、伝送線路Ｔのインピーダンスが大き過ぎることで、受信機１が送信する受信機信号も減衰する。そこで、受信機制御部１７は、伝送電流が閾値未満であると判定した場合に、受信機信号を送信する場合の伝送電流を増加させてもよい。一例として、受信機１が、図１１に示した電流調整部２７のような回路を有し、受信機制御部１７が、図１１におけるスイッチ２５１と同様のスイッチを切り替えて、送信回路１４のインピーダンスを小さくすることにより、伝送電流を増加させることができる。
【００６９】
また、感知器２が、図６における伝送電流測定回路１５と同等の伝送電流測定回路を有しており、感知器制御部２５は、受信機信号を受信している間の伝送電流が閾値未満であると判定した場合に、電流を増加させることを要求する要求情報を含む感知器信号を受信機１に送信してもよい。この場合、受信機制御部１７は、当該感知器信号を受信したことに応じて伝送電流を増加させる。
【００７０】
感知器制御部２５は、伝送電流測定回路が測定した伝送電流の値を含む感知器信号を受信機１に送信してもよい。この場合、受信機制御部１７は、受信した感知器信号に含まれる伝送電流の値に基づいて伝送電流を増加させたり減少させたりする。
【００７１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７２】
１  受信機
２  感知器
１１  電源回路
１２  ユーザＩＦ部
１３  受信回路
１４  送信回路
１５  伝送電流測定回路
１６  電圧変換回路
１７  受信機制御部
２１  電源回路
２２  送信回路
２３  受信回路
２４  センサ回路
２５  感知器制御部
２６  電流制限回路
２７  電流調整部
１４１、１４３、１５１、２２１、２２３  インピーダンス素子
１４２  トランジスタ
１５２  増幅器
２２２  トランジスタ
２５１  スイッチ
【図１】
2020046948.tif 000003
【図２】
2020046948.tif 000004
【図３】
2020046948.tif 000005
【図４】
2020046948.tif 000006
【図５】
2020046948.tif 000007
【図６】
2020046948.tif 000008
【図７】
2020046948.tif 000009
【図８】
2020046948.tif 000010
【図９】
2020046948.tif 000011
【図１０】
2020046948.tif 000012
【図１１】
2020046948.tif 000013
【図１２】
2020046948.tif 000014
【図１３】
2020046948.tif 000015